(57)【要約】      （修正有）【課題】インクの蒸発やペン芯の乾きを防止できる筆記具を提供する。【解決手段】ペンハウジングとインクホルダー３０と、蓋４１が開閉されてペン芯３１が出没する密閉部材４０と、スプリング５０と、密閉部材を収容した状態でインクホルダーが前・後進され、ペン芯の移動可能な作動孔が貫通されるガイド部材６０と、から構成され、蓋はガイド部材に直線部６７ａと、傾斜部６７ｂとにつながるカム溝６７にガイドされ、密閉部材の移動時、蓋の開閉をガイドし、ガイド部材の側面部に係止部６１と、移動ホール６２とが掘られ、インクホルダーにカム突起７０を形成し、密閉部材、内径部にインクホルダー３０の外径に密着されるようにするシール部を内部に向けて突出成形し、その外径部には、突起４４を成形し、突起を収容溝の内側に収容した状態で結合され、ペンハウジングの内側に形成された段部に係止させるようにする固定キャップ４５が設ける。【選択図】図９
2015150891.tif 000002
【特許請求の範囲】
【請求項１】
本発明の構成は、中空円筒状を有し、先端部にペン芯出入り孔１１が貫通され、一側の上端に備えられたボタンクリップ部２０を備えているペンハウジング１０と、
前記ペンハウジング１０の内部に収容され、先端にペン芯３１が、他側にはノブ３２が結合された状態で内部にインク部材を収容しているインクホルダー３０と、
前記ペン芯３１を収容した状態でインクホルダー３０の前・後進動作に応じてその先端にヒンジ連結された蓋４１が開閉されてペン芯３１が出没可能にする密閉部材４０と、
この密閉部材４０とインクホルダー３０との間を付勢するスプリング５０と、
前記密閉部材４０とペンハウジング１０との間に位置され、密閉部材４０を収容した状態でインクホルダー３０が前・後進され、ペン芯３１の移動ができるように作動孔６５が貫通されるガイド部材６０と、から構成されたものにおいて、
前記密閉部材４０の蓋４１は、ガイド部材６０に直線部６７ａと、傾斜部６７ｂとにつながるように成形されたカム溝６７に挟まれた状態でガイドされ、密閉部材４０が移動される時、蓋４１の開閉作動をガイドし、
ガイド部材６０の側面部には、長さ方向に沿って係止部６１と、移動ホール６２とが掘られ、
前記インクホルダー３０には、前記ガイド部材６０の係止部６１に接触された状態でガイド部材６０を移動させるようにし、移動ホール６２に沿って移動されるカム突起７０を形成し、
前記密閉部材４０は、内径部にインクホルダー３０の外径に密着されるようにするシール部４２を内部に向けて突出成形し、その外径部には、突起４４を突出成形して、前記突起４４を収容溝４６の内側に収容した状態で結合され、ペンハウジング１０の内側に形成された段部１８に係止させるようにする固定キャップ４５が設けられることを特徴とする乾き防止装置を備えた出没タイプ筆記具。
【発明の詳細な説明】
【技術分野】
【０００１】
本発明は、乾き防止装置を備えた出没タイプ筆記具に関し、より詳しくは、より簡単な構成でも蛍光ペン、マジックペン、サインペン、プラスペンなどの揮発性が強いインクを使う筆記具のペン芯を使用時のみ外部に突出させ、非使用時には、内部に気密を保持した状態で収容させて、インクの蒸発やペン芯の乾きを防止できるように発明されたものである。
【背景技術】
【０００２】
一般に、筆記具は、ボールペンをはじめ、サインペン、蛍光ペン、マジックペンなどをいい、これらのほとんどは、筆記用芯材の乾燥を防止するために、密閉用キャップが脱着自在に固定される。
【０００３】
このような筆記具は、大きくペン芯が固定されており、キャップ（以下、蓋という）を使用する固定タイプと、軸の一部を回転させることによって、スパイラルパイプに沿って芯の一部が外に出るようにした回転タイプ（繰出タイプ）と、軸の一部分を押すことによって、スプリングが動いてペン芯が出るようにするノックタイプと、ペン芯が突出及び没入されるようにスライドさせる出没タイプ（ｓｌｉｄｅ  ｔｙｐｅ）とがある。
【０００４】
前記の出没タイプの筆記具は、別の蓋を開閉する不便さなく使用できる長所があるが、ペン芯が出没するペン芯出入り孔が筆記具の一側端に単に通孔されているため、油性インクなどのように、非揮発性や揮発性が弱い筆記具のみに限定的に作用可能な短所がある。
【０００５】
一方で、揮発性が強いマーカーペン、ホワイトペン、水性ペン、蛍光ペンなどは、蓋を開閉させる不便さがあったが、ペン芯が空気中に長時間放置される場合、インクなどが干上がって筆記具の寿命が短縮されるとか棄損され得る。
【先行技術文献】
【特許文献】
【０００６】
【特許文献１】大韓民国特許登録第１０−１９９５−００００７７６号（登録日付：１９９５．０６．２６）
【特許文献２】大韓民国実用新案登録第２０−１９８９−０００３６４４号（公開日：１９８９．０４．０７）
【発明の概要】
【発明が解決しようとする課題】
【０００７】
従って、前記のような問題点を解消するために、大韓民国特許登録第１０−１９９５−００００７７６号（乾燥防止装置を有するキャップレス筆記具）が提案され、出没タイプ筆記具の押し部を押すと、ゴムひもの引張力によってペン芯部位を覆っているカバーが開き、もう一度押すと、閉まって密閉され、インクの乾燥を防止する構造として、公知された事がある。
【０００８】
しかし、ゴムひもの引張力を利用するため、カバーの開閉が速かに作動しないのみならず、耐久性の側面から補完の余地があり、孔を臨時的に閉めているカバーの気密状態が非常に不安定な短所があった。
【０００９】
また、大韓民国実用新案登録第２０−１９８９−０００３６４４号（キャップレス筆記具）は、ノック部を押すと、ペン先が前記内筒に設けられた弾性体を突き抜けてペン先が露出してペンを使うようにし、ノック部を解除又は再び押すことによって、ペン先が元の場所に戻ると、切開された弾性体が互いに当接して密閉されることによって、ペン先の乾燥を防止するようにした。
【００１０】
しかし、この方式は、頻繁な使用による摩擦で弾性体の切開部が塑性変形され得ることがあり、頻繁な摩擦によって密閉力が低下するという問題があった。
【００１１】
本発明の目的は、構成が簡単で、より簡単な操作でノブの押しに応じてペン芯を密閉する蓋部をペン芯が押しながら開放させて突出させ、ノブ解除時にペン芯が内部に復帰しながら、蓋部が自動的に閉まって内部に収容されるペン芯の乾きを防止するようにする乾き防止装置を備えた出没タイプ筆記具を提供することにある。
【００１２】
本発明の他の目的は、繰り返される使用にも密閉機能を喪失したり、故障が発生される場合を未然に防止して、製品の信頼性が向上するようにした出没タイプ筆記具を提供することにある。
【課題を解決するための手段】
【００１３】
このような目的を達成するために、本発明の構成は、中空円筒状を有し、先端部にペン芯出入り孔１１が貫通され、一側の上端に備えられたボタンクリップ部２０を備えているペンハウジング１０と、
前記ペンハウジング１０の内部に収容され、先端にペン芯３１が、他側にはノブ３２が結合された状態で内部にインク部材を収容しているインクホルダー３０と、
前記ペン芯３１を収容した状態でインクホルダー３０の前・後進動作に応じてその先端にヒンジ連結された蓋４１が開閉されてペン芯３１が出没可能にする密閉部材４０と、
この密閉部材４０とインクホルダー３０との間を付勢するスプリング５０と、
前記密閉部材４０とペンハウジング１０との間に位置され、密閉部材４０を収容した状態でインクホルダー３０が前・後進され、ペン芯３１の移動ができるように作動孔６５が貫通されるガイド部材６０と、から構成されたものにおいて、
前記密閉部材４０の蓋４１は、ガイド部材６０に直線部６７ａと、傾斜部６７ｂとにつながるように成形されたカム溝６７に挟まれた状態でガイドされ、密閉部材４０が移動される時、蓋４１の開閉作動をガイドし、
ガイド部材６０の側面部には、長さ方向に沿って係止部６１と、移動ホール６２とが掘られ、
前記インクホルダー３０には、前記ガイド部材６０の係止部６１に接触された状態でガイド部材６０を移動させるようにし、移動ホール６２に沿って移動されるカム突起７０を形成し、
前記密閉部材４０は、内径部にインクホルダー３０の外径に密着されるようにするシール部４２を内部に向けて突出成形し、その外径部には、突起４４を突出成形して、前記突起４４を収容溝４６の内側に収容した状態で結合され、ペンハウジング１０の内側に形成された段部１８に係止させるようにする固定キャップ４５が設けられることを特徴とする。
【発明の効果】
【００１４】
このような本発明によれば、部品構成が簡単で、より簡単な操作でペン芯の乾きを防止するようにする乾き防止装置を備えた出没タイプ筆記具を提供することができる。
また、繰り返される使用にも密閉機能を喪失したり、故障が発生される場合を未然に防止して、製品の信頼性が向上する効果がある。
【図面の簡単な説明】
【００１５】
【図１】本発明の筆記具のペン芯が内部に保管されて気密を保持する状態を示した斜視図。
【図２】本発明の筆記具のペン芯が露出する状態を示した斜視図。
【図３】本発明の要部構成を分解して示した分解斜視図。
【図４】本発明の密閉部材の先端部を示した斜視図。
【図５】本発明の筆記具のペン芯が内部に保管されて気密を保持する状態でペンハウジングの内部を示した斜視図。
【図６】本発明の筆記具のペン芯が露出した状態でペンハウジングの内部を示した斜視図。
【図７】本発明の筆記具のペン芯が内部に保管されて気密を保持する状態の一部切開断面図。
【図８】本発明の筆記具のペン芯が露出した状態の一部切開断面図。
【図９】インクホルダーに形成されたカム突起がガイド部材の係止部に接触され、押されて移動される状態を示した要部正面図。
【図１０】インクホルダーに形成されたカム突起がガイド部材の移動ホールの位置に進入されて移動される状態を示した要部正面図。
【図１１】図７の一部拡大断面図。
【発明を実施するための形態】
【００１６】
以下、本発明の好ましい実施例を添付された図面に基づいて、詳しく説明すると、次の通りである。
【００１７】
図面に示されたように、本発明の乾き防止装置を備えた出没タイプ筆記具は、蛍光ペン、マジックペン、サインペン、プラスペンなどの揮発性が強いインクを使う筆記具のペン芯を使用時のみ外部に突出させ、非使用時には、内部に気密されるように収容させてインクの蒸発防止及びペン芯の乾きを防止するようにしたものである。
【００１８】
前記のペンハウジング１０は、中空管状で、その内部にインクホルダー３０及び乾き防止機能を有する密閉部材４０が収容され、外部には、ボタンクリップ部２０が備えられている。
【００１９】
インクホルダー３０は、インクを注入して繰り返し使われる注入タイプ、及びインク交換タイプも適用可能である。
【００２０】
ペンハウジング１０は、先端にペン芯出入り孔１１が形成され、インクホルダー３０のペン芯３１が露出可能になる。
【００２１】
また、ペンハウジング１０の外側上部にボタンクリップ部２０を備えるようになるが、このボタンクリップ部２０のクリック操作でインクホルダー３０の前進及び後進状態を保持できるようにするロック及びアンロック装置が作動され得る。
【００２２】
また、ペンハウジング１０の上端に露出したインクホルダー３０のノブ３２を一回押すとロック状態、また繰り返して押すとアンロック状態に切り替えるようにするロック機構が設けられることもでき、このようなロック機構などは、既に知られている通りである。
【００２３】
前記ペンハウジング１０の内部に収容されるインクホルダー３０は、先端にペン芯３１が結束され、その他側には、内部にインクが充填、または交換できるようにノブ３２が着脱可能に備えられる。
【００２４】
インクホルダー３０の先端には、ペン芯３１の出没は可能な状態で使用中ではない収容状態では、インクの乾きを防止するためのシール機能を有する密閉部材４０が設けられる。
【００２５】
密閉部材４０は、先端に蓋４１が軟質ゴム材、または合成樹脂材でヒンジ機能を有するように連結されているが、この蓋４１は、自然状態で図４に示されたようにペン芯３１の出没に支障を与えないようにボディ体と略直角方向に開放されている状態を保持するようになる。
【００２６】
この蓋４１は、ガイド部材６０のカム溝６７の位置に挟まれ、ガイド部材６０の前・後進作動によって密閉作動が制御される。
【００２７】
このガイド部材６０は、中空筒状で、合成樹脂材で前記密閉部材４０とペンハウジング１０との間に設けられる。
【００２８】
従って、ガイド部材６０は、その内部に密閉部材４０を収容した状態で、インクホルダー３０が前・後進される時、共に移動されながら蓋４１がカム溝６７に沿ってガイドされ、開閉作動をガイドするようになる。
【００２９】
また、ガイド部材６０の側面部には、長さ方向に沿って係止部６１と移動ホール６２とが掘られ、先端には、ペン芯３１の移動が可能になるように作動孔６５があけられている。
【００３０】
前記インクホルダー３０には、前記ガイド部材６０の係止部６１に接触された状態で、ガイド部材６０を移動させるようにし、移動ホール６２に沿って移動されるカム突起７０が一体に突出成形されている。
【００３１】
従って、ペン芯３１を収容した状態で、インクホルダー３０とガイド部材６０との前・後進動作に応じて、その先端にヒンジ連結された蓋４１が開放され、ペン芯３１の出没が可能になる。
【００３２】
一方、前記密閉部材４０は、軟質のゴム材で、その外径部には、突起４４を突出成形して、前記突起４４を収容溝４６の内側に収容した状態で結合され、ペンハウジング１０の内側に形成された段部１８に係止させるようにする固定キャップ４５が設けられる。
【００３３】
この密閉部材４０に結合された固定キャップ４５とインクホルダー３０との間には、スプリング５０が付勢設けられている。
【００３４】
従って、密閉部材４０の蓋４１が開放された状態から再び密閉される時、ガイド部材６０の後退でカム溝６７が蓋４１の位置を取り締まって図１１に示されたように、ペン芯３１の周りが気密を保持できるように引いて密閉させるようになる。
【００３５】
この時、インクホルダー３０がガイド部材６０とともに後退されるが、固定キャップ４５とインクホルダー３０との間に設けられたスプリング５０の付勢力でカム溝６７に位置制御されている蓋４１は、密閉部材４０の先端部に密着された状態を保持できるように付勢される。
【００３６】
そして、ガイド部材６０の一側または両側には、図９及び図１０に示されたように、長さ方向に沿って移動ホール６２が長く掘られるようになるが、その入口には、移動ホール６２の通路を狭くする係止部６１が突出成形されている。
【００３７】
一方、インクホルダー３０には、一体に、この係止部６１の接触位置でカム突起７０が突出成形されている。
【００３８】
このような構造になった本発明は、インクホルダー３０がペンハウジング１０の内部に収容された状態でペンを使用していない携帯及び保管状態では、スプリング５０の付勢力でペン芯３１が密閉部材４０の内部で蓋４１が覆われられて気密を保持した状態で後退されている。（図１、図５、図７、図１１参照）
【００３９】
ペン芯３１をより完璧に気密状態で保護するために、密閉部材４０にヒンジ連結された蓋４１の他側内径部には、図１１に示されたように、密閉部材４０の内径からインクホルダー３０の外径部に密着されるようにするシール部４２をさらに突出成形することが好ましい。
【００４０】
この状態で、ペン芯３１をペンハウジング１０の先端で露出して使用しようとする場合には、図示しないロック機構を作動するために、ボタンクリップ部２０を操作するとか、ノブ３２をクリックしてインクホルダー３０を密閉部材４０とともに前進させるようになる。
【００４１】
この時、インクホルダー３０の外側に突出されていたカム突起７０は、図９に示されたように、ガイド部材６０の係止部６１に接触した状態でガイド部材６０が移動可能な範囲、即ち、ガイド部材６０がペンハウジング１０の先端内側に接触される距離まで最大限に押して移動させるようになる。
【００４２】
また、密閉部材４０に結合されている固定キャップ４５は、ペンハウジング１０の内側に形成された段部１８に係止されているようになるため、密閉部材４０のボディ体は、移動されないようになる一方、その先端にヒンジ連結された蓋４１は、ガイド部材６０のカム溝６７の位置に応じて開閉される。
【００４３】
カム溝６７の形状は、インクホルダー３０の移動方向と平行な直線部６７ａと、蓋４１とが密閉部材４０の先端で密着され得るように圧着させるための傾斜部６７ｂに繋がるように成形されている。
【００４４】
従って、ガイド部材６０がペンハウジング１０の先端内側に接触され、これ以上移動できなくなる位置まで移動されると、蓋４１は、カム溝６７の傾斜部６７ｂの位置から直線部６７ａの位置に位置移動される結果で、密閉部材４０の先端部から開放される（図１０）。
【００４５】
この時は、インクホルダー３０の前進移動でカム突起７０に接触されていた係止部６１の間が自体弾力によって広がりながら移動ホール６２の位置に進入され、ペン芯３１とインクホルダー３０とは、引き続きさらに前進移動されてペン芯３１を用いた筆記が可能な状態に露出する（図２、図６、図８、図１０）。
【００４６】
また、ペン芯３１を気密保持状態でペンハウジング１０の内部に収容させるようとする時は、ボタンクリップ部２０、またはノブ３２をクリックしてロック機構の操作でアンロック状態に切り替えると、スプリング５０の付勢力によってインクホルダー３０とペン芯３１とが後退を始めるようになる。
【００４７】
そして、ガイド部材６０が後退されながらカム溝６７の直線部６７ａに位置されていた蓋４１が傾斜部６７ｂの位置にガイドされながら続けて後退することによって、図９及び図１１に示されたように、ペン芯３１が密閉部材４０の内部で蓋４１が密閉されながら気密状態を保持するように位置される。
【００４８】
ここで、前記カム突起７０は、移動ホール６２に沿って後退された後、ガイド部材６０が密閉部材４０に係止されてこれ以上後退できない位置では、カム突起７０が係止部６１を再び広がるようにし、もっと後退されて初期状態に位置される（図１０）。
【００４９】
インクホルダー３０とガイド部材６０が互いに離脱を防止した状態で組み立てられ、後退時にともに移動され得るようにインクホルダー３０には、係止段３３を突出成形し、これに対応される位置にガイド部材６０には、作動溝６６を掘りだすようになる。
【００５０】
このような動作でインクホルダー３０とペン芯３１とは、筆記が可能に露出するようにし、またはペンハウジング１０の内部に収容された状態では、気密を保持してインクの蒸発やペン芯の乾きを防止することができる。
【００５１】
また、その構造が比較的簡単で、コストが安価だけでなく、故障の懸念が少なく、より製品の寿命を延長し、信頼性を向上させることができる。
【００５２】
以上で説明した本発明は、前述した実施例及び図面によって限定されるものではなく、本発明の技術的思想を逸脱しない範囲内で様々な置換、変形及び変更が可能であることは、本発明の属する技術分野における通常の知識を有する者にとって明らかである。
【符号の説明】
【００５３】
１０：ペンハウジング
１１：ペン芯出入り孔
２０：ボタンクリップ部
３０：インクホルダー
３１：ペン芯
３２：ノブ
４０：密閉部材
４１：蓋
５０：スプリング
６０：ガイド部材
６１：係止部
６２：移動ホール
６７：カム溝
７０：カム突起
【図１】
2015150891.tif 000003
【図２】
2015150891.tif 000004
【図３】
2015150891.tif 000005
【図４】
2015150891.tif 000006
【図５】
2015150891.tif 000007
【図６】
2015150891.tif 000008
【図７】
2015150891.tif 000009
【図８】
2015150891.tif 000010
【図９】
2015150891.tif 000011
【図１０】
2015150891.tif 000012
【図１１】
2015150891.tif 000013